(57)【特許請求の範囲】
【請求項１】
出入口より挿入されたカートリッジの内部に設けられたホイールと係合し、前記カートリッジに設けられたシャッタを開閉するシャッタ開閉機構であって、
前記カートリッジが挿入される方向に沿って形成され、前記ホイールに形成された歯車部と係合するラック部と、
前記ラック部の両側に形成され、前記ホイールの前記歯車部の両側にそれぞれ形成される第１凹部及び第２凹部に対してそれぞれ係合する第１凸部及び第２凸部と、を備え、
少なくとも前記第２凸部は前記カートリッジ側に向けて付勢され、かつその先端位置が、挿入完了時における前記ホイールの中心位置に対して前記出入口側に配置されており、前記先端部近傍の少なくとも出入口側の側面は、テーパ状に形成されてなる、
ことを特徴とするシャッタ開閉機構。
【請求項２】
請求項１に記載のシャッタ開閉機構において、
前記先端部近傍の出入口側側面が前記シャッタの開動作完了時においても前記第２凹部に当接し続けるように、前記第２凸部が配置されてなることを特徴とするシャッタ開閉機構。
【請求項４】
請求項１又は請求項２に記載されたシャッタ開閉機構において、前記第２凸部は、その先端から前記出入口側側面と前記奥行き側側面とのそれぞれに向けてテーパ部が形成されている、ことを特徴とするシャッタ開閉機構。
【請求項５】
請求項４に記載されたシャッタ開閉機構において、前記テーパ部は、前記第２凸部の先端を通る中心線に対して略４５°の角度をもって形成されている、ことを特徴とするシャッタ開閉機構。
【請求項６】
請求項１から請求項５のいずれかに記載されたシャッタ開閉機構を備えた記録媒体駆動装置であって、前記筐体の内部には前記カートリッジに収納されたディスク状情報記録媒体に情報を記録及び／又は再生する情報記録・再生機構が取り付けられている、ことを特徴とする記録媒体駆動装置。
【発明の詳細な説明】
【技術分野】
【０００１】
本発明は、筐体の内部の基準位置に略中心が配置されるカートリッジにおいて、窓部を開閉するためのシャッタ開閉機構、及び、このシャッタ開閉機構を備えた記録媒体駆動装置に関する。
【背景技術】
【０００２】
従来、ＣＤ（Compact Disc）やＭＤ（Mini Disc）等の大容量の記録情報を保存することができる記録媒体が利用されている。さらに、近年では、大容量記録媒体としてＤＶＤ（Digital Versatile Disc)の開発が進み、また次世代メディアとして、いわゆるブルーレイディスクの研究も急速に進められている。記録媒体にはＣＤ等のベアディスクの他に、記録面を保護するためにカートリッジに収納して利用するものもある。
【０００３】
このカートリッジには、ディスク状情報記録媒体の情報記録面と対向して窓部が形成されており、この窓部はシャッタ開閉機構により開閉操作される。
シャッタ開閉機構の従来構造が特許文献１に示されている。
特許文献１のシャッタ開閉機構は、カートリッジが出入口から挿入される外筐の内部に取り付けられるシャッタオープナと、このシャッタオープナに係合されるとともにカートリッジに設けられた従動体とを備えている。
このシャッタ機構の概略構造をカートリッジ１０の裏面から見た状態が図１（Ａ）（Ｂ）に示されている。この図において、カートリッジ１０に設けられた従動体１１は、シャッタ板（図示せず）と連動するとともにカートリッジ１０の内部に回転自在に配置されたホイール１３を備え、このホイール１３は、その外周部に沿って歯車部１３Ａが形成され、この歯車部１３Ａの両側２箇所に、外形がR形状の凹部１３Ｂ，外形が矩形上の凹部１３Ｃが形成されている。
【０００４】
一方、筐体に設けられたシャッタオープナ２００は、図示しない筐体の内部にカートリッジ出入口から奥行き方向に沿って取り付けられたラック２０１と、そのラック２０１の出入口側に設けられたフロント側係合部材２０２と、ラック２０１の奥行き側に設けられたリア側係合部材２０３とを備えている。これらの係合部材２０２，２０３は、その先端部が略円弧状に形成されており、この係合部材の先端部が後述するカートリッジ１０のホイール１３に形成されている凹部１３Ｂ，１３Ｃに係合される構造である。
以上の構造のシャッタ機構では、カートリッジ１０が奥行き方向Ｒに挿入されると、フロント側係合部材２０２が凹部１３Ｂに係合し、その状態で、カートリッジ１０が奥行き方向Ａに進み続けると、ホイール１３が矢印Ｂで示す半時計方向に回転してラック２０１と歯車部１１Ａとが互いに噛合し、さらに、リア側係合部材２０３が凹部１３Ｃに係合すると、図示しないシャッタが開放される。
【０００５】
【特許文献１】
特開２００３−１０９２８２
【発明の開示】
【発明が解決しようとする課題】
【０００６】
特許文献１では、先端部が円弧状に形成された係合部材２０２，２０３がホイールの平面矩形状の凹部１３Ｂ，１３Ｃに係合される構造である。通常、これらの凹部１３Ｂ，１３Ｃと係合部材２０２，２０３の略円弧状先端部とを円滑に係合させるため、これらの間には隙間が形成される。この隙間（ガタ）が大きいと、外部からの衝撃等により、この隙間分だけホイール１３が回転することになる。
ここで、カートリッジ１０に収納されたディスク状情報記録媒体（図示せず）の中心ＣＣは筐体の基準位置ＭＣと一致することが理想的であるが、これらが公差やガタの影響で現実には一致しない場合がある。
【０００７】
例えば、図１（Ａ）に示される通り、カートリッジ１０の中心ＣＣが基準位置ＭＣよりフロント側（出入口側、図１中では紙面下側）にずれる場合があり、この場合には、ホイール１３が回転しきれず、シャッタが十分に開放されない問題が一例として生じる。この状態では、ディスク状情報記録媒体に記録された情報を読み取り、あるいは、記録媒体に情報を記録するためのピックアップ装置がシャッタと干渉する虞れも生じる。
これに対して、図１（Ｂ）に示される通り、カートリッジ１０の中心ＣＣが基準位置ＭＣよりリア側（奥行き側、図１中では紙面上側）にずれる場合があり、この場合には、リア側係合部材２０３が凹部１３Ｃから外れ、外部からの衝撃等によりホイール１３が誤って回転するという問題が一例として生じる。
［０００８］
本発明の目的は、カートリッジの中心が筐体の基準位置と一致しなくても、シャッタを適正に開閉動作できるシャッタ開閉機構及び記録媒体駆動装置を提供することにある。
【課題を解決するための手段】
［０００９］
本発明のシャッタ開閉機構は、出入口より挿入されたカートリッジの内部に設けられたホイールと係合し、前記カートリッジに設けられたシャッタを開閉するシャッタ開閉機構であって、前記カートリッジが挿入される方向に沿って形成され、前記ホイールに形成された歯車部と係合するラック部と、前記ラック部の両側に形成され、前記ホイールの前記歯車部の両側にそれぞれ形成される第１凹部及び第２凹部に対してそれぞれ係合する第１凸部及び第２凸部と、を備え、少なくとも前記第２凸部は前記カートリッジ側に向けて付勢され、かつその先端位置が、挿入完了時における前記ホイールの中心位置に対して前記出入口側に配置されており、前記先端部近傍の少なくとも出入口側の側面は、テーパ状に形成されてなる、ことを特徴とする。
［００１０］
本発明の記録媒体駆動装置は、前述した本発明のシャッタ開閉機構を備えた記録媒体駆動装置であって、前記筐体の内部には前記カートリッジに収納されたディスク状情報記録媒体に情報を記録及び／又は再生する情報記録・再生機構が取り付けられている、ことを特徴とする。
【図面の簡単な説明】
［００１１］
［図１］従来技術を示す断面図。
［図２］本発明の一実施形態を示す斜視図。
［図３］カートリッジの分解斜視図。
［図４］シャッタオープナの斜視図。
［図５］本実施形態の要部を示すもので、第２凸部とホイールの第２凹部との係合関係を示す平面図。
［図６］シャッタ開閉機構の作用を示す断面図。
【符号の説明】
［００１２］
１…記録媒体駆動装置、２…筐体、２Ａ…出入口、１０…カートリッジ、１０Ｂ…窓部、１２…ディスク状情報記録媒体、１２Ｂ…窓部、１３…ホイール、１３Ａ…歯車部、１３Ｂ…第１凹部、１３Ｃ…第２凹部、１４…シャッタ、２０…シャッタオープナ、２２…ラック部、２３…第１凸部、２４…第２凸部
【発明を実施するための最良の形態】
【００１３】
以下、本発明の実施の形態を図示例と共に説明する。
図２には本実施形態のシャッタ開閉機構を適用したカートリッジ及び記録媒体駆動装置の全体構成が示されている。
図２において、記録媒体駆動装置１は、筐体２と、この筐体２の内部に設けられ略平板状のカートリッジ１０に収納されたディスク状情報記録媒体１２（図３参照）に情報を記録及び／又は再生する図示しない情報記録・再生機構とを備えて構成されている。
情報記録・再生機構は、カートリッジ１０に収容されているディスク状情報記録媒体をターンテーブル等の回転駆動部により回転駆動させつつ、ディスク状情報記録媒体に対して光ピックアップを半径方向に移動させながら映像や音声等の記録及び／又は再生を行う装置である。
【００１４】
筐体２の正面側にはカートリッジ１０を筐体２の内部に収納し、あるいは、内部から排出するための矩形状の出入口２Ａが設けられている。本実施形態では、カートリッジ１０が直接に筐体２の内部に収納されるものでもよく、あるいは、図示しないトレイに載置した状態で筐体２の内部に収納されるものでもよい。
カートリッジ１０は筐体２の内部の基準位置にディスク状情報記録媒体１２の中心が一致するように筐体２の内部に配置される。つまり、基準位置は情報記録・再生機構の回転駆動部の中心位置である。
筐体１の内部には出入口２Ａから奥行き方向に延びて駆動体としてのシャッタオープナ２０が取り付けられている。
【００１５】
図３にはカートリッジ１０の構造が示されている。
図３において、カートリッジ１０は、側部に開口部が形成された下部カートリッジ本体１０Ａ及び上部カートリッジ本体（図示せず）を備えている。
下部カートリッジ本体１０Ａには光ピックアップがアクセスするための窓部１０Ｂが半径方向に延びて形成されている。
これらのカートリッジ本体の間には、シャッタオープナ２０に係合される従動体１１と、回転自在に支持されたディスク状情報記録媒体１２とを備えている。
この場合のディスク状情報記録媒体１２として具体的には、ＣＤ−ＲＯＭ（Compact Disc-Read Only Memory）、ＣＤ−ＤＡ（CD-Digital Audio）、ＣＤ−Ｒ（CD-Recordable）、ＣＤ−ＲＷ（CD-Re writable）、Ｖｉｄｅｏ−ＣＤ、ＣＤ−Ｇ（CD-Extended Graphics）、ＤＶＤ−ＲＯＭ（Digital Versatile Disc-ROM）、ＤＶＤ−Ｖｉｄｅｏ、ＤＶＤ−Ａｕｄｉｏ、ＤＶＤ−Ｒ、ＤＶＤ−ＲＷ、Ｂｌu−ｒay Ｄisｃ等を含むものである。
【００１６】
従動体１１は、カートリッジ本体内にそれぞれ回転可能に支持されたホイール１３及びディスク状情報記録媒体１２と、ホイール１３と下部カートリッジ本体１０Ａとの間に配置された２枚のシャッタ１４と、ホイール１３の回転をシャッタ１４の開閉に連動させる図示しない連動機構とを備えて構成されている。
下部カートリッジ本体１０Ａの窓部１０Ｂは、シャッタ１４が開放された際に、ディスク状情報記録媒体１２の情報記録面の一部を露出するものである。
ホイール１３は、その外周部に沿って形成される歯車部１３Ａと、この歯車部１３Ａの両側にそれぞれ外形がＲ状に形成される第１凹部１３Ｂ及び平面矩形上に形成される第２凹部１３Ｃとを有し、これらの歯車部１３Ａ、第１凹部１３Ｂ及び第２凹部１３Ｃは、その回転位置によってはカートリッジ本体の側面部の開口部から露出される。
シャッタ１４が閉じている状態では、第１凹部１３Ｂの中心がカートリッジ中心であって、図５で示される基準位置ＭＣと略一致するようにホイール１３が位置決めされ、シャッタ１４が十分に開いている状態では、第２凹部１３Ｃの中心がカートリッジ中心であって、基準位置ＭＣと略一致するようにホイール１３が位置決めされる。
【００１７】
図４にはシャッタオープナ２０の構造が示されている。
図４において、シャッタオープナ２０は、略長尺状のベース２１と、このベース２１の長手方向に沿って設けられホイール１３の歯車部１３Ａと噛合可能とされるラック部２２と、このラック部２２の出入口側に設けられた第１係合部材としての第１凸部２３と、ラック部２２の奥行き側に設けられた第２係合部材としての第２凸部２４とを備えて構成されている。
また、ベース部２１は、適宜な手段により筐体２の内部側壁に固定されている。
第１凸部２３は、その先端部がホイール１３の第１凹部１３Ｂと係合可能とされ、かつ、その基端部とベース部２１との間には図示しないばねが介装されてカートリッジ側に向けて付勢されている。
第１凸部２３は、その先端部が平面円弧状に形成されており、その幅寸法は第１凹部１３Ｂの幅寸法よりやや小さい。
【００１８】
図５には第２凸部２４の平面形状が示されている。
図５（Ａ）に示される通り、第２凸部２４は、その先端位置Ｐがディスク状情報記録媒体１２の基準位置ＭＣに対して寸法Ｄだけ出入口側Ｆに離れて配置されている。この寸法Ｄは、記録媒体駆動装置に収納された際のカートリッジのガタや公差を考慮して適宜設定される。そして第２凸部２４は、その先端部がホイール１３の第２凹部１３Ｃと係合可能とされ、かつ、その基端部とベース部２１との間には図示しないばねが介装されてカートリッジ側に向けて付勢されている。
なお、本実施形態においては、第２凸部２４の基端側の幅寸法は第２凹部１３Ｃの幅寸法よりも大きく形成されている。
また、第２凸部２４は、少なくともその先端部のうちＦ側がテーパ状に形成するとよく、図５（Ａ）においてはこのテーパは、先端から出入口側（Ｆ側）と奥行き側（Ｒ側）との側面にそれぞれに向かって形成されている。テーパ状の先端部は、その先端を通る中心線Ｃに対してそれぞれ略４５°の角度をもって形成されている。このようにテーパ形状とすることで、ホイールを回転させる力を安定して確保することができる。
この状態では、第２凸部２４の出入口側のテーパ面に第２凹部１３Ｃの一方の角部が当接するが、第２凸部２４の奥行き側のテーパ面には第２凹部１３Ｃの他方の角部が当接しない。この奥行き側のテーパ面は、カートリッジのアンローディング時に、第２凸部がカートリッジのハウジングと接触した場合にこのテーパ面によって退避可能とならしめるために形成される。従って上述のごとく、この奥行き側のテーパ面は必ずしも形成する必要は無く、ハウジングとの接触時を考慮する必要がない場合は設けずに、出入口側の側面がテーパ状となっていてもよい。
【００１９】
次に、本実施形態のシャッタ開閉機構の動作について、図６に基づいて説明する。図６は、図１と同様の方向から見た図である。
始めに、カートリッジ１０は、予めシャッタ１４が閉じられており、この状態では、側部開口部から第１凹部１３Ｂが露出しており、この第１凹部１３Ｂはカートリッジ中心に位置している。
まず、図６（Ａ）に示される通り、カートリッジ１０を奥行き方向Ｒに筐体の出入口から押し込む。すると、図６（Ｂ）に示される通り、ホイール１３の第１凹部１３Ｂとシャッタオープナ２０の第１凸部２３とが互いに係合する。
【００２０】
その状態で、カートリッジ１０を奥行き方向Ｒに押し込み続けると、図６（Ｃ）に示される通り、ホイール１３が反時計方向に回転してシャッタ１４が開放され始め、さらに、ラック２２と歯車部１３Ａとが互いに噛合する。
さらに、図示しない機構によりカートリッジ１０が奥行き方向Ｒに搬送されると、ホイール１３が反時計方向に回転し続けてシャッタ１４の開度が徐々に大きくなり、図６（Ｄ）に示される通り、ホイール１３の第２凹部１３Ｃとシャッタオープナ２０の第２凸部２４とが互いに係合すると、シャッタ１４が開放された状態で維持される。この状態では、カートリッジ１０は、ディスク状情報記録媒体１２が窓部から露出され、かつ、基準位置ＭＣに位置することになり、情報記録・再生機構を作動させることが可能となる。
逆に、情報記録・再生機構の作動が終了した後、図示しない機構によりカートリッジ１０が出入口側に搬送されると、シャッタオープナ２０と係合しているホイール１３が時計方向に回転し、シャッタ１４が閉じられる。
【００２１】
ここで、公差等により、カートリッジ中心ＣＣと基準位置ＭＣとが一致しない場合がある。例えば、図５（Ｂ）に示される通り、カートリッジ中心ＣＣが基準位置ＭＣより奥行き側Ｒに位置する場合がある。この場合、第２凸部２４は、カートリッジ側への付勢力に抗してホイール１３から離隔する方向に変位し、第２凹部１３Ｃとの当接箇所が先端側にずれることで、第２凹部１３Ｃとの係合が維持される。
逆に、図５（Ｃ）に示される通り、カートリッジ中心ＣＣが基準位置ＭＣより出入口側Ｆに位置する場合がある。この場合、第２凸部２４は寸法Ｄだけ出入口側に配置されているためホイールを十分に回転させることができシャッタを完全にオープンさせることができる。また、ホイール１３に近接する方向に変位し、第２凹部１３Ｃとの当接箇所が基端側にずれることで、第２凹部１３Ｃとの係合が維持される。
【００２２】
従って、本実施形態によると次のような効果が得られる。
（１）シャッタ開閉機構は、筐体２の内部で出入口側から奥行き方向に延びて取り付けられる駆動体としてのシャッタオープナ２０と、このシャッタオープナ２０に係合されるとともにカートリッジ１０に設けられる従動体１１とを備え、この従動体１１は、窓部１０Ｂを開閉するシャッタ１４と連動するホイール１３を有し、このホイール１３は、その外周部に沿って第１凹部１３Ｂ、歯車部１３Ａ及び第２凹部１３Ｃが形成され、シャッタオープナ２０は、出入口側に設けられ第１凹部１３Ｂと係合可能とされる第１凸部２３と、奥行き側に設けられ第２凹部１３Ｃと係合可能とされる第２凸部２４と、歯車部１３Ａと噛合されるラック部２２とを有し、第２凸部２４はカートリッジ側に向けて付勢され、かつその先端位置が基準位置ＭＣに対して出入口側に配置されている構成とした。なお、少なくともその先端部近傍のうち出入口側がテーパ状に形成されることが好ましい。そのため、第２凸部２４は、カートリッジ中心ＣＣと筐体２の基準位置ＭＣとが一致しない場合でも、第２凸部２４は、そのテーパ面で第２凹部１３Ｃに係合していることになり、第２凸部２４と第２凹部１３Ｃとの係合が維持されることになり、シャッタ１４が適正に開閉されることになる。
【００２３】
（２）第２凸部２４は、その先端から出入口側側面と奥行き側側面とのそれぞれに向けてテーパ部が形成されている場合には、先端から出入口側側面に向けて形成されたテーパ部により、カートリッジ１０が出入口２Ａから筐体２の内部に押し込まれる際に第２凹部１３Ｃと第２凸部２４とがより確実に係合され、先端から奥行き側側面に向けて形成されたテーパ部により、カートリッジ１０が出入口２Ａに押し出される際に第２凹部１３Ｃと第２凸部２４とがより確実に係合される。また、先端部近傍の奥行き側がテーパ状とされるため、カートリッジのアンローディング時にカートリッジのハウジングと第２凸部とが接触した場合にも、ハウジングと第２凸部との摺動を容易にできる。
そのため、両テーパ部により、カートリッジ１０を挿入又は排出するにあたり、シャッタオープナ２０とホイール１３とをより確実に係合させてシャッタ１４の開閉の誤動作を抑制することができる。
【００２４】
（３）第２凸部２４のテーパ部は、その先端を通る中心線に対して略４５°の角度をもって直角形成されているから、カートリッジ中心ＣＣと筐体２の基準位置ＭＣとの寸法差が大きい場合でも、第２凸部２４と第２凹部１３Ｃとの係合を維持できるとともに、第２凸部２４からホイール１３に伝達する力を大きなものにできる。
つまり、第２凸部２４のテーパ部を小さな角度の先端にすると、第２凸部２４からホイール１３に伝達する力を大きなものにできるものの、カートリッジ中心ＣＣと筐体２の基準位置ＭＣとの寸法差が大きい場合では、テーパ部での当接箇所の変更を大きくできず、第２凸部２４が第２凹部１３Ｃから外れやすくなり、逆に、第２凸部２４のテーパ部を大きな角度の先端にすると、カートリッジ中心ＣＣと筐体２の基準位置ＭＣとの寸法差が大きい場合でも第２凸部２４が第２凹部１３Ｃから外れることがなくなるものの、第２凸部２４からホイール１３に伝達する力が小さくなる。そのため、両者の効果を同時に達成するには、４５°の角度をもってテーパ部を形成することが好ましい。
【００２５】
（４）ホイール１３の第２凹部１３Ｃは、平面矩形状に形成されているから、その開口端側の角部が第２凸部２４のテーパ部と確実に係合することができる。そのため、ホイール１３が空回りすることがなく、シャッタ１４をより確実に開閉することができる。
（５）シャッタオープナ２０の第１凸部２３やラック部２２を従来と同様構造としたので、部品の共通化が図れ、製造コストの削減を達成できる。
【００２６】
（６）本実施形態では、前述の構成のシャッタ開閉機構を備えて記録媒体駆動装置を構成し、筐体２の内部にディスク状情報記録媒体１２に情報を記録及び／又は再生する情報記録・再生機構を取り付けたから、シャッタ１４の開閉をより確実に行うことに伴って、情報記録・再生機構がシャッタ１４に干渉したりする虞れを抑制し、ディスク状情報記録媒体１２への情報の記録・再生をより正確に行うことができる。
【００２７】
〔実施の形態の変形〕
なお、本発明は、上述の実施形態にのみ限定されるものではなく、本発明の要旨を逸脱しない範囲内において種々変更を加え得ることは勿論である。
例えば、本実施形態では、第２凸部２４は、その先端から出入口側側面と奥行き側側面とのそれぞれに向けてテーパ部を形成したが、本発明では、第２凸部２４の先端から出入口側側面に向けてテーパ部を形成すればよく、奥行き側は円弧状でもよい。
【００２８】
前記実施形態では、第２凸部２４のテーパ部は、その先端を通る中心線に対して略４５°の角度としたが、本発明では、前述の効果を達成できるのであれば、その角度は限定されない。例えば、３０°〜６０°の範囲でもよい。
【産業上の利用可能性】
【００２９】
本発明は、筐体の内部の基準位置に略中心が配置されるカートリッジにおいて、窓部を開閉するためのシャッタ開閉機構、及び、このシャッタ開閉機構を備えた記録媒体駆動装置として利用できる。
【図１】
0004286865.tif 000002
【図２】
0004286865.tif 000003
【図３】
0004286865.tif 000004
【図４】
0004286865.tif 000005
【図５】
0004286865.tif 000006
【図６】
0004286865.tif 000007